(57)【要約】【課題】室外で洗濯物を干すのに、雨天と、空中に花粉と埃が飛散してある日は、洗濯物を干すことが出来なくて、難儀をしていたが、本願発明のハンガー枠本体を設けたことにより、雨天の日、又は、空中に、埃と、花粉が飛散してある日であっても安心して洗濯物が干せる物干しハンガー枠を提供する。【解決手段】ハンガー枠本体を設けて、其の中に、ハンガーの掛け竿と、洗濯バサミの吊り枠を設置して固定し、屋根と棟には、防水カバーを被せて雨と埃が入らない様にして、ハンガーの中は、狭い範囲内で洗濯物を仕分で枠一杯に干せることを特徴として、外周は、洗濯物との隙間を開けて、防水カーテンで、取り囲めることを特徴とする物干しハンガー枠装置。【選択図】  図１
2010166964.tif 000002
【特許請求の範囲】
【請求項１】
ハンガー枠本体を設けて、ハンガー枠本体の中央に長さ方向に、丸棒状のハンガーの掛け竿をハンガー枠本体に設けて固定し、其の両側にも間隔を開けて、ハンガーの掛け竿に沿って洗濯バサミの吊り枠をハンガー枠本体に固定し、尚且つ連結固定ボルトで、それぞれの枠と竿の間隔を開けて固定して、連結固定ボルトで、ハンガー枠本体を外部から締付ナットで硬く固定し、ハンガー枠本体と、洗濯バサミの吊り枠とに、吊紐落し溝穴を設けて、洗濯バサミの吊紐とカーテンの吊紐を簡単に上から落として引っ掛けて固定したり、取り外したり、することを特徴としてハンガー枠本体を竿に吊り下げて洗濯物を干すのに狭い範囲の中で、洗濯物の種類によって、洗濯バサミとハンガーの二通りの使い分けを自由にされて一度に沢山の洗濯物を種類分けで枠一杯に干せることを特徴とする物干しハンガー枠装置。
【請求項２】
請求項１記載の物干しハンガー枠装置であって、雨天時の洗濯物は、ハンガー枠本体の上に防水屋根カバーと、其の上にも防水棟カバーを被せて、簡単に取り外れないようにカバーの真芯を固定ボルトと吊金具軸に通して皿ナットで押さえて固定し、洗濯物をハンガー枠本体の中に、ハンガーと洗濯バサミとの両方の使い分で、洗濯物を枠一杯に干し終えて、防水カーテンの吊り紐に結び瘤を固定し、ハンガー枠本体の吊紐落し溝穴に、吊紐を落して結び瘤を引っ掛けて固定し、防水カーテンの滑り落ちを固定されたところで、防水カーテンの裾を下にたらしてハンガー枠本体の外周を取り囲むと、洗濯物と、防水カーテンとの間は、隙間の間隔が空いてあるから通気性は十分であり、洗濯物を自然乾燥させて、花粉と埃が飛散しているときは、防水カーテンの裾を紐で絞ることによって雨と埃と花粉をハンガー枠内に入れない様にしたところを特徴とする物干しハンガー枠装置。
【請求項３】
請求項１〜２記載の物干しハンガー枠装置であって、防水カーテン、又は、カーテンの上縁と下縁に、吊紐落し溝穴と同じ間隔に、紐通し穴を空けて固定し、此の穴を利用して、上の穴に、吊紐を通して結びで固定し、其の紐の一方に結び瘤を固定して、下の穴に、カーテンの裾を絞る結び紐を通して結びで固定し、カーテンの上と下の縁に穴を固定したことを特徴とする物干しハンガー枠装置。
【発明の詳細な説明】
【技術分野】
【０００１】
本願発明は、室外で洗濯物を干すことに関し、特に洗濯バサミ、又は、ハンガーで干すことに関して、雨天、又は、空中に埃、花粉が飛散してあるときに必要とするハンガー枠及び防水屋根カバーと防水カーテンに関するものである。
【背景技術】
【０００２】
従来、室外で洗濯物を干す場合は、ハンガー、又は、洗濯バサミの一通のみの干し方が殆どである。しかし、このような干し方だけでは、悪天候の日、即ち、埃、花粉が飛散してある日などは、心配で洗濯物を干したくても、干せない場合があり、又は、洗濯物を干したとしても、雨が降り始めたら、洗濯物が、半乾きであっても慌てて取り込むか、又は、雨に濡らすかの、両方のうちの一つであるが、雨に濡らせば、雨に含まれてある埃と花粉が、洗濯物に付着するために、再度洗濯をしなければ成らないものである。
【発明の開示】
【発明が解決しようとする課題】
【０００３】
室外で洗濯物を干しても、雨天と、埃、花粉が飛散してある日は、干してある洗濯物に埃と花粉が全く当たらない様にするには、非常に難しいことである。
本願発明は、前記の様なことから考えられたことである。
【課題を解決するための手段】
【０００４】
上記の目的を達するために本願発明は、ハンガー枠本体を設けて、其の中央に丸棒状のハンガー掛け竿をハンガー枠本体に固定し、其の両側に沿うって洗濯バサミを吊り下げる枠をハンガー枠本体に固定する。ハンガー枠本体には、直接防水カーテンを吊り下げる様に、吊紐落し溝穴を設けて固定して、カーテン紐に結び瘤を固定して、溝穴に通して結び瘤で滑り落ちを固定して引っ掛かる様にしてから、外周を防水カーテンで取り囲み、其の上に防水屋根カバーと、防水棟カバーの真芯を軸に通して固定したために、防水屋根カバーと防水カーテンとの間に隙間があるから、ハンガー枠内の空気を外に放出するための通気性は十分である。
【０００５】
本願発明の物干しハンガー枠本体は、以上の様な構成で、雨天の日も、埃、花粉の多く飛散してある日であっても安心して洗濯物を干せるハンガー枠である。洗濯物と、防水カーテンとの間の間隔は、100ｍｍの空間が空く様に設計されてあるから通気性も十分であり、洗濯物を十分に自然乾燥されることである。
【発明の効果】
【０００６】
本願発明のハンガー枠本体は、狭い範囲内で洗濯物を、数多くハンガーに掛けたり、洗濯バサミに吊ったりして、洗濯物の種類によって干し分けが、自由にされることを特徴として、一度に沢山の洗濯物を枠一杯に干されて、雨天、埃、花粉が飛散してある日であっても、安心して、洗濯物を干せることを特徴とする物干しハンガー枠本体である。
【図面の簡単な説明】
【０００７】
【図１】本願発明のハンガー枠本体を設けて竿５０に吊るして、本体に関する一式の実施例を説明するための側面図である。
【図２】ハンガー枠本体を竿５０に吊るして、構造物の詳細を菱型に示した実施例の説明図である。
【図３】握り部材１２〜１４皿ナット間を、吊金具１５の軸ネジと固定ボルト１９で皿長ナット１３に連結して固定したところの詳細を示す断面図である。
【図４】ハンガー枠本体にカーテンをぶら下げて各所を上から見下げたところの平面図である。
【図５】ハンガー枠本体の斜視図である。
【図６】ハンガー枠本体と洗濯バサミを吊り下げる枠の詳細を示す切断図の一部である。
【図７】ハンガー枠本体の吊紐落し溝穴に、吊紐の結び瘤を引っ掛けてカーテンを吊るしたところの枠の一部の切断面図である。
【図８】カーテンの構造を示す平面図である。
【図９】カーテンと結び紐を示す正面図である。
【発明を実施するための形態】
【０００８】
以下、本願発明を実施するための形態について説明する。
本願発明の物干しハンガー枠は、１台のハンガー枠で、狭い範囲内であっても、沢山の洗濯物が、種類分けに干されることが、特徴であり、天候に遮られることの無いことを特徴とする。尚、天候の晴天の日は、防水カーテンを取り外すことによって、普通の洗濯物を干すハンガー枠と同様のものである。但し、防水屋根カバーと、防水棟カバーは、常時に取り付けて固定したままの方が、洗濯物に対しても、洗濯物に直射日光を避けることが出来るからである。
【実施例】
【０００９】
以下、本願発明の実施の形態の添付図面を参照して説明する。
図１は、本願発明のハンガー枠本体を設けて竿５０に吊るして、本体に関する一式の実施例を説明するための側面図である。
１は、ハンガー枠本体、５は、吊紐落し溝穴、１０は、鎖、１１は、鎖取り付け固定盤、１２は、握り部材、１３は、皿長ナット、１４は、皿ナット、１５は、吊金具、１６は、吊金具軸の曲部、１７は、吊金具の首軸の曲部、１８は、固定紐、２０は、棟防水カバー、２１は、屋根防水カバー、２２は、防水カーテン内、２３は、防水カーテン外、
２５は、カーテンの折り返し縫い合わせ部分、２６は、カーテンの折り返し空洞、２７は、ロープ紐、５０は、竿、６０は、ハンガー、７０は、洗濯バサミである。
【００１０】
図２は、ハンガー枠本体を竿５０に吊るして、構造物の詳細を菱型に示した実施例の説明図である。
１は、ハンガー枠本体、１０は、鎖、又は、ロープ、１１は、鎖の取り付け固定盤、
１２は、握り部材、１３は、皿長ナット、１４は、皿ナット、１５は、吊金具、１６は、吊金具軸の曲部、１７は、吊金具の首軸の曲部、２０は、棟防水カバー、２１は、屋根防水カバー、５０は、竿である。
【００１１】
図３は、握り部材１２〜１４皿ナット間を、吊金具１５の軸ネジと固定ボルト１９で皿長ナット１３に連結して固定したところの詳細を示す断面図である。
１１は、鎖取り付け固定盤、１２は、握り部材、１３は、皿長ナット、１４は、皿ナットは、ナットの片端が皿に固定されたものである。１５は、吊金具、１６は、吊金具の軸曲部、１９は、固定ボルト、２０は、防水棟カバー、２１は、防水屋根カバーである。
【００１２】
図４は、ハンガー枠本体に、カーテンをぶら下げて各所を上から見下げた平面図である。
１は、ハンガー枠本体、２は、洗濯バサミの吊枠、３は、丸棒状のハンガーの掛け竿、４は、連結固定ボルト、５は、吊紐落し溝穴、６は、吊紐、７は、結び瘤、８は、締付ナット、９は、幅止め固定パイプ、１０は、鎖、２２は、防水カーテン内、２３は、防水カーテン外である。
【００１３】
図５は、ハンガー枠本体の斜視図である。
１は、ハンガー枠本体、２は、洗濯バサミの吊枠、３は、ハンガーの掛け竿、４は、連結固定ボルト、５は、吊紐落し溝穴、８は、締付ナットである。
【００１４】
図６は、ハンガー枠本体と洗濯バサミを吊る枠の詳細を示す図の一部である。
１は、ハンガー枠本体の一部、２は、洗濯バサミを吊り下げる枠の一部、５は、吊紐落し溝穴である。
【００１５】
図７は、ハンガー枠本体の吊紐落し溝穴に、吊紐の結び瘤を引っ掛けてカーテンを吊るしたところの枠の一部の切断面図である。
１は、ハンガー枠本体、５は、吊紐落し溝穴、６は、吊紐、７は、結び瘤、２２は、カーテンである。
【００１６】
図８は、カーテンの構造を示す平面図である。
２２は、防水カーテン、２５は、防水カーテンの折り返し縫い合わせ部分、２６は、防水カーテンの空洞穴、２７は、ロープ紐、２８は、結び、２９は、固定穴である。
【００１７】
図９は、防水カーテンと結び瘤を示す正面図である。
６は、吊紐、７は、結び瘤、２２は、防水カーテン、２５は、防水カーテンの折り返し縫い合わせ部分、２６は、防水カーテンの空洞穴、２７は、ロープ紐、２８は、結びである。
【００１８】
以上の様な構造のものであるが、ハンガー枠本体1は、外周全体が、吊紐落し溝穴５を設けて構成された枠であり、洗濯物を一度に沢山ぶら下げて干すことが、出来るものであるから、ハンガー枠本体を丈夫にするため、ハンガー枠本体1を設けて、ハンガー枠本体１の中央に長さ方向に、丸棒状のハンガー６０の掛け竿３をハンガー枠本体１に設けて固定し、其の両側に間隔を開けて、ハンガーの掛け竿３の長さ方向に沿って洗濯バサミ７０の吊枠２をハンガー枠本体１に固定し、尚且つ連結固定ボルト４で、それぞれの枠１と枠２と竿３の間隔を開けて固定するために、幅止め固定パイプ９を、設けてそれぞれの枠１と枠２と竿３の間にパイプ９を入れて、連結固定ボルト４を、幅止め固定パイプ９の中を通して、ハンガー枠本体1に、連結固定ボルト４を通して、締付ナット８で、ハンガー枠本体１の外部から確り締付けて確実に固定する。固定したハンガー枠本体１の外周と、洗濯バサミの吊枠２の上に、吊紐落し溝穴５が設けて固定され、この溝穴5に、洗濯バサミ７０と、防水カーテン２２との吊紐６を通して結び瘤７で、滑り落ちを固定する枠であり、吊紐６を通して結び瘤７を固定する溝穴５である。
【００１９】
ハンガー枠本体1の上は、鎖１０の一方を、連結固定ボルト４に取り付けて固定し、残りの鎖の一方は、鎖取り付け固定盤１１に取り付けて固定して、それぞれの鎖も同じく、それぞれの位置に取り付けて、残りの鎖の一方を、鎖取り付け固定盤１１に取り付けて固定する。
鎖取り付け固定盤１１の下に、握り部材１２を設けて、固定ボルト１９で、握り部材１２の下から、固定盤１１の上に突き通して、防水屋根カバー２１を被せて、防水屋根カバー２１の真芯を固定ボルト１９に挿通して、其の上から、皿長ナット１３を固定ボルト１９に螺合して固定する。
皿長ナット１３の上には、防水棟カバー２０を被せて、防水棟カバー２０の真芯に軸を通す穴を開けて、皿長ナット１３の上に防水棟カバーの真芯穴を当てて、吊金具１５の軸ネジを、皿ナット１４に螺合して貫通して、皿長ナット１３に、上から挿して螺合して固定し、皿ナット１４で防水棟カバー２０を押えて固定する。この様にして、ハンガー枠本体１と吊金具１５の間を、鎖１０と固定ボルト１９で皿長ナット１３に連結して固定し、吊り金具１５に連結して固定してある。雨の降る日、又は、日光の照りつける日であっても、上から降り付けるものに対して、直接洗濯物に、雨と日光が当らないで避けることの出来る屋根つき洗濯物を乾燥させる物干しハンガー枠本体である。
【００２０】
ハンガー枠本体を取り囲んで、横からと、下からも、雨風と、埃と、花粉がハンガー枠内に入れない様にするためには、図８に、描いてある様に、カーテン２２、２３の上縁と、下縁に、ロープ紐２７を包み込んで折り返して縫い合わせてカーテン２５に固定し、折り返し縫い合わせたカーテン２５の部分のロープ紐２７の際に、穴２９をカーテンの上と下の縁に吊紐落し溝穴と同じ間隔に穴を空けて固定する。
図９に、描いてある様に、穴２９を固定されたカーテンの上の穴に吊紐６を通してロープ紐２７を囲んで結び２８で固定して、紐の一方に結び瘤７を固定する。
カーテンの下の穴２９は、紐を通して結びで固定しておくことも出来るが、必要に応じて紐を取り付けて固定することも出来るものである。
【００２１】
本願発明は、以上の様なハンガー枠本体とカーテンの構造である。
これを使用するときは、握り部材１２を握って、吊金具１５を竿５０に引っ掛けてハンガー枠本体を吊るして、洗濯物を、洗濯バサミと、ハンガーとの二通りの使い分けで、枠一杯に干すことが出来て、風が吹いてある場合は、吊金具１５の軸曲部１６から１７をロープ、又は、針金などで連結して固定することで安定する。
【００２２】
物干しハンガー枠本体１を竿５０に引っ掛け吊るした時は、ハンガー枠本体１の片隅に、洗濯バサミと、ハンガーの器具類を、まとめてセットして吊るしておいてあるので、使用時に始めて使用目的の必要器具を、ハンガー枠本体の片隅から取り外して、使用目的の枠、又は、竿に掛けて洗濯物をハンガー枠本体一杯に干すことが出来る様にした物干しハンガー枠であって、使用者優先に、洗濯バサミと、ハンガーの使い分けを自由にし
て洗濯物を枠一杯に干すことが出来る物干しハンガー枠本体である。
【００２３】
雨天や悪天候であって、外部に防水カーテン２２と２３が必要とする場合は、防水カーテン２２と２３の吊紐６を吊紐落し溝穴５に上から落として結び瘤７を、吊紐落し溝穴5に引っ掛けて、防水カーテン２２と２３を下にたらして外周を取り囲むことが出来るものである。
以上の様な構成にして、自由に洗濯バサミと、ハンガーの両方の使い分けができる物干しハンガー枠本体であれば、個人的の好みに応じて洗濯バサミと、ハンガーを設けて洗濯物を自由に干すことが出来る様にした物干しハンガー枠本体である。
【００２４】
ハンガー枠本体の中の枠と竿に、洗濯バサミ７０とハンガー６０の器具をそれぞれの位置に取付けて固定しないのは、次の意味である。
例えば、ハンガー６０に洗濯物を引っ掛けて干す場合においては、洗濯バサミ７０が非常に邪魔になる。又は、其の反対に、ハンガー６０を竿３に、引っ掛けて固定しておくと、洗濯バサミ７０に洗濯物を挟んで吊るして干す場合においては、ハンガー６０が非常に邪魔になるのと同じく、両方共に常時に使用しない場合については、取り外しておき、個人的に、常時に使用するものを優先に取り付けるのが有効である。
尚、本願発明のハンガー枠本体には、洗濯バサミ７０と、ハンガー６０とカーテン２２の取り付けと、取り外しは、簡単な構造のものであるから、誰でも容易に取り付け、取り外しが出来る物干しハンガー枠本体である。
【００２５】
竿５０に引っ掛け吊るしたハンガー枠本体内の枠と竿に、洗濯物を希望に応じて、ハンガー６０を竿３に引っ掛けて、又は、洗濯バサミ７０の吊紐６を枠２に引っ掛けて、それぞれの洗濯物を枠一杯に干し終えた後に、横から吹き付ける雨風及び、埃と花粉を防ぐために、防水カーテン２２と２３の吊紐６をハンガー枠本体１の吊紐落し溝穴５に、上から落として結び瘤７が、ハンガー枠本体１の吊紐落し溝穴５に引っ掛けて固定することを特徴とする結び瘤７であるから、防水カーテン２２と２３の裾を下にたらして外周を取り囲むと、洗濯物と防水カーテンとの間の間隔は、１００ｍｍの間隔が空くように設計してあるため、通気性があり、洗濯物は、自然に乾燥されて、埃と花粉が、飛散していても、カーテンの裾を紐６と紐６を結んで絞り寄せることによって、横からの埃と花粉をハンガー枠内に入れない様にしたところを特徴とする紐付きカーテンの物干しハンガー枠装置である。
【００２６】
尚、ハンガー枠内の通気は、外部に放出されても、外部からの雨、埃、花粉をハンガー枠内に進入することは、自然に外部のカーテンで塞がれることであり、防水カーテンと
洗濯物と、屋根カバーとの間は、全て隙間があるから、中からの通気は、放出されても、外部からの雨、埃、花粉をハンガー枠内に進入することは、自然に防げるものであり、ハンガー枠内に洗濯物を干していても、洗濯物は、蒸れることなく自然に乾燥される。
天候の状態によって、防水カーテンが必要でない場合は、防水カーテンを取り囲む必要もなくなり、また、防水カーテンは、内２２、外２３の2枚で外周を取り囲む様にしてあるから、1枚だけを取り外して使用することも可能である。
【００２７】
雨天でなくて、晴天で、風によって埃と花粉が飛散している場合は、普通のカーテンであっても、吊紐と結び瘤を固定することによって、ハンガー枠本体１の、吊紐落し溝穴５に、吊紐を引っ掛けて埃と花粉を防ぐことも出来る。カーテンの下の固定穴２９に紐を取り付けて固定しておくことについては、風が吹き付けて、埃、花粉が飛散しているときで、紐６と紐６を結んでカーテンの裾を絞ることによって、洗濯物を汚さない様にして防ぐことが出来るものである。普通のカーテンも、防水カーテンも、製品の製作の形は同様の物である。尚、外周の防水カーテンを取り外した場合は、ハンガー枠本体１の吊紐落し溝穴５に、直接洗濯バサミの吊紐６を通して結び瘤７を引っ掛けて固定して、洗濯物を枠一杯に干すこともできる物干しハンガー枠装置である。
【産業上の利用可能性】
【００２８】
本願発明の物干しハンガー枠本体は、狭い範囲内のハンガー枠本体内で洗濯物の種類によって、ハンガー干しと、洗濯バサミに吊るし干しとの二通りの干し分けが自由にされて、雨天及び、花粉と、埃が空中に飛散してある日であっても、洗濯物を汚さなくて無休で、洗濯物を干して自然に乾燥させることが可能であるから、産業上に利用することも十分に考えられるものである。
【符号の説明】
【００２９】
１  ハンガー枠竿本体
２  洗濯バサミ吊り枠
３  ハンガー掛け竿
４  連結固定ボルト
５  吊紐落し溝穴
６  吊紐
７  結び瘤
８  締付ナット
９  幅止め固定パイプ
１０鎖、又は、ロープ
１１鎖取り付け固定盤
１２握り部材
１３皿長ナット
１４皿ナット
１５吊金具
１６吊金具軸の曲部
１７吊金具の首軸の曲部
１８固定紐
１９固定ボルト
２０棟防水カバー
２１屋根防水カバー
２２防水カーテン内
２３防水カーテン外
２５防水カーテンの折り返し縫い合わせ部分
２６防水カーテンの折り返し空洞穴
２７ロープ紐
２８結び
２９固定穴
５０竿
６０ハンガー
７０洗濯バサミ
【図１】
2010166964.tif 000003
【図２】
2010166964.tif 000004
【図３】
2010166964.tif 000005
【図４】
2010166964.tif 000006
【図５】
2010166964.tif 000007
【図６】
2010166964.tif 000008
【図７】
2010166964.tif 000009
【図８】
2010166964.tif 000010
【図９】
2010166964.tif 000011
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
ハンガー枠本体を設けて、ハンガー枠本体の中央の長手方向に、丸棒状の該ハンガーの掛け竿をハンガー枠本体の長手方向の中央に設けて、其の両側にも間隔を開けて、ハンガーの掛け竿に沿って洗濯バサミの吊り枠をハンガー枠本体に連結して固定し、尚且つ一本の長さの連結固定ボルトで、それぞれの枠と竿の間隔を開けて固定して、一本の長さの連結固定ボルトで、ハンガー枠本体を外部の両側から締付ナットで硬く固定し、両側のハンガー枠本体と、その内側の洗濯バサミの吊り枠を一定の間隔を持続して保持するために、一本の長さの連結固定ボルトで枠の短辺方向の両側を連結して固定し、吊紐落し溝穴を枠に設けて、洗濯バサミの吊紐とカーテンの吊紐を吊紐落し溝穴に簡単に上から落として引っ掛けて固定したり、取り外したり、することを特徴としてハンガー枠本体を竿に吊り下げて洗濯物を干すのに狭い範囲の中で、洗濯物の種類によって、洗濯バサミとハンガーの二通りの使い分けを自由にされて一度に沢山の洗濯物を種類分けで枠一杯に干せることを特徴とする物干しハンガー枠装置。
【請求項２】
請求項１記載の物干しハンガー枠装置であって、雨天時の洗濯物は、ハンガー枠本体の上に防水屋根カバーと、其の上にも防水棟カバーを被せて、簡単に取り外れないように防水屋根カバーの真芯を、握り部材と鎖取付け固定盤の芯穴に、下から上向きに貫通して突き出ている固定ボルトに屋根カバーの真芯を突き通して、其の上から皿長ナットを固定ボルトに螺合して防水屋根カバーを押さえて固定し、防水棟カバーの真芯を、皿長ナットの上に被せて、その上から、吊金具の軸に皿ナットを通して防水棟カバーの真芯を突き抜いて皿長ナットに螺合して固定し、固定ボルトと吊金具の軸が連結したところで、皿ナットを締めて防水棟カバーを押さえて固定し、洗濯物をハンガー枠本体の中に、該ハンガーと洗濯バサミとの両方の使い分で、洗濯物を枠一杯に干し終えて、防水カーテンの吊紐に結び瘤を固定し、ハンガー枠本体の吊紐落し溝穴に、吊紐を落して結び瘤を引っ掛けて固定し、防水カーテンの滑り落ちを固定されたところで、防水カーテンの裾を下に垂らしてハンガー枠本体の外周を取り囲むと、洗濯物と、防水カーテンとの間は、隙間の間隔が空いてあるから通気性は十分であり、洗濯物を自然乾燥させて、花粉と埃が飛散しているときは、防水カーテンの裾を紐で絞ることによって雨と埃と花粉をハンガー枠内に入れない様にしたところを特徴とする物干しハンガー枠装置。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
ハンガー枠本体を設けて、ハンガー枠本体の短辺方向の中央に、ハンガー枠本体の長手方向にのびる丸棒状のハンガーの掛け竿を設けて固定し、其の両側にも間隔を開けて、丸棒状のハンガーの掛け竿に沿って伸びる洗濯バサミの吊り枠をハンガー枠本体の長手方向に設けて固定し、尚且つ一本の長さの連結固定ボルトで、それぞれの枠と竿の間隔を開けて固定し、一本の長さの連結固定ボルトの一本の長さは、ハンガー枠本体の短辺方向の外部両幅の寸法プラス締付ナットの厚味２枚分の合計の長さであり、ハンガー枠本体を、短辺方向の外部の両側から締付ナットでボルトを硬く固定して、ハンガー枠本体と、その内側の洗濯バサミの吊枠を一定の間隔を持続して保持するために、一本の長さの連結固定ボルトで、ハンガー枠本体の短辺方向の両側を連結してナットで両側を固定し、吊紐落し溝穴を、全部の吊枠の上に設けて固定し、洗濯バサミの吊紐とカーテンの吊紐を吊紐落し溝穴に簡単に上から落として結び瘤を引っ掛けて固定したり、取り外したり、することを特徴としてハンガー枠本体を竿に吊り下げて洗濯物を干すのに狭い範囲の中で、洗濯物の種類によって、洗濯バサミとハンガーの二通りの使い分けを自由にされて、一度に沢山の洗濯物を種類分けでハンガー枠本体の中一杯に干せることを特徴とする物干しハンガー枠装置であって、雨天時の洗濯物は、ハンガー枠本体の上に防水屋根カバーと、其の上にも防水棟カバーを被せて、簡単に取り外れないように防水屋根カバーの真芯を、握り部材と鎖取付け固定盤の芯穴に、下から上向きに貫通して突き出ている固定ボルトに屋根カバーの真芯を突き通して、其の上から皿長ナットを固定ボルトに螺合して防水屋根カバーを押さえて固定し、防水棟カバーの真芯を、皿長ナットの上に被せて、その上から、吊金具の軸に皿ナットを通して防水棟カバーの真芯を突き抜いて皿長ナットに螺合して固定し、固定ボルトと吊金具の軸が連結したところで、皿ナットを締めて防水棟カバーを押さえて固定し、洗濯物をハンガー枠本体の中に、 ハンガーと洗濯バサミとの両方の使い分で、洗濯物をハンガー枠本体の中一杯に干し終えて、防水カーテンの吊紐に結び瘤を固定し、ハンガー枠本体の吊紐落し溝穴に、吊紐を落して結び瘤を引っ掛けて固定し、防水カーテンの滑り落ちを固定されたところで、防水カーテンの裾を下に垂らして、ハンガー枠本体の外周を取り囲むと、洗濯物と、防水カーテンとの間は、隙間の間隔が空いてあるから通気性は十分であり、洗濯物を自然乾燥させて、花粉と埃が飛散しているときは、防水カーテンの裾を紐で絞ることによって雨と埃と花粉をハンガー枠内に入れない様にしたところを特徴とする物干しハンガー枠装置。